(57)【要約】      （修正有）【課題】耳たぶから脱落しにくく、紛失しにくいとともに、金属アレルギーを引き起こしにくくできるイヤリングおよびイヤリングの留め具を提供する。【解決手段】イヤリング１は、耳たぶの正面側から下側を経由して背面側に至る全体弧状に形成された金属線材２と、金属線材の一端部２Ａ側に設けられて耳たぶの正面に当接する第１耳当て部３と、金属線材の他端部２Ｂ側に設けられて耳たぶの背面に当接する第２耳当て部４と、を備え、第１耳当て部および第２耳当て部は、樹脂から形成されて金属線材に一体に固定されている。【選択図】図３
0003202953.tif 000002
【実用新案登録請求の範囲】
【請求項１】
耳たぶを前後から挟み込むことによって耳たぶに固定されるイヤリングであって、
耳たぶの正面から下方を通って背面まで至る形状に形成された留め具と、
前記留め具に取り付けられた装飾具と、を備え、
前記留め具は、
耳たぶの正面側から下側を経由して背面側に至る全体弧状に形成された金属線材と、
前記金属線材の一端部に設けられて耳たぶの正面に当接する第１耳当て部と、
前記金属線材の他端部に設けられて耳たぶの背面に当接する第２耳当て部と、を備え、
前記第１耳当て部および前記第２耳当て部は、樹脂から形成されて前記金属線材に一体に固定されていることを特徴とするイヤリング。
【請求項２】
請求項１に記載されたイヤリングにおいて、
前記金属線材の一端部および他端部には、それぞれ耳たぶの正面および背面から離れる方向に反曲した第１反曲部および第２反曲部が設けられ、前記第１耳当て部は前記第１反曲部を含んだ領域に固定され、前記第２耳当て部は前記第２反曲部を含んだ領域に固定されていることを特徴とするイヤリング。
【請求項３】
請求項１または請求項２に記載されたイヤリングにおいて、
前記金属線材の途中位置には、耳たぶの左右方向を軸方向とする弦巻ばね状に形成されて前記第１耳当て部と前記第２耳当て部とを近接させる方向に付勢する付勢部が設けられていることを特徴とするイヤリング。
【請求項４】
請求項１から請求項３のいずれかに記載されたイヤリングにおいて、
前記第１耳当て部には、前記装飾具を装着するための装着部が設けられていることを特徴とするイヤリング。
【請求項５】
耳たぶを前後から挟み込むことによって耳たぶに固定されるイヤリングの留め具であって、
耳たぶの正面側から下側を経由して背面側に至る全体弧状に形成された金属線材と、
前記金属線材の一端部に設けられて耳たぶの正面に当接する第１耳当て部と、
前記金属線材の他端部に設けられて耳たぶの背面に当接する第２耳当て部と、を備え、
前記第１耳当て部および前記第２耳当て部は、樹脂から形成されて前記金属線材に一体に固定されていることを特徴とするイヤリングの留め具。
【考案の詳細な説明】
【技術分野】
【０００１】
本考案は、イヤリングおよびイヤリングの留め具に関する。
【背景技術】
【０００２】
従来、耳たぶを前後から挟み込むことによって耳たぶに固定するイヤリングが知られている。
例えば、特許文献１に記載された耳飾り具（イヤリング）は、耳たぶの正面から下方を通って背面まで至る形状に形成される挟持体（留め具）と、この挟持体に取り付けられた装飾体とを備えている。そして、この耳飾り具は、挟持体の有する弾性力を以て耳たぶを前後から挟み込むことによって、耳たぶに固定されている。
【先行技術文献】
【特許文献】
【０００３】
【特許文献１】特開２０００−１５２８１２号公報
【考案の概要】
【考案が解決しようとする課題】
【０００４】
しかしながら、このような従来のイヤリングでは、耳たぶを挟み込む力は大きくないため、耳たぶから脱落しやすく、紛失しやすいという問題がある。さらに、従来のイヤリングでは、挟持体がプレス曲げ加工による金属薄板から形成されているため、この金属薄板が耳たぶに直接触れることとなり、金属アレルギーを引き起こす可能性がある。
【０００５】
本考案の目的は、耳たぶから脱落しにくく、紛失しにくいとともに、金属アレルギーを引き起こしにくくできるイヤリングおよびイヤリングの留め具を提供することである。
【課題を解決するための手段】
【０００６】
本考案のイヤリングは、耳たぶを前後から挟み込むことによって耳たぶに固定されるイヤリングであって、耳たぶの正面から下方を通って背面まで至る形状に形成された留め具と、前記留め具に取り付けられた装飾具と、を備え、前記留め具は、耳たぶの正面側から下側を経由して背面側に至る全体弧状に形成された金属線材と、前記金属線材の一端部に設けられて耳たぶの正面に当接する第１耳当て部と、前記金属線材の他端部に設けられて耳たぶの背面に当接する第２耳当て部と、を備え、前記第１耳当て部および前記第２耳当て部は、樹脂から形成されて前記金属線材に一体に固定されていることを特徴とする。
【０００７】
このような構成によれば、イヤリングは、全体弧状に形成された金属線材によって第１耳当て部と第２耳当て部とを近接させる方向に付勢することで、第１耳当て部と第２耳当て部とによって耳たぶを挟み込む力を大きくすることができる。したがって、本考案によれば、イヤリングを耳たぶから脱落しにくくすることができるとともに、イヤリングを紛失しにくくすることができる。さらに、耳たぶに触れる第１耳当て部および第２耳当て部が樹脂から形成されていることで、金属アレルギーを引き起こしにくくできる。また、樹脂によって摩擦力が高まることで、耳たぶに対する保持力を向上させることができる。
【０００８】
本考案では、前記金属線材の一端部および他端部には、それぞれ耳たぶの正面および背面から離れる方向に反曲した第１反曲部および第２反曲部が設けられ、前記第１耳当て部は前記第１反曲部を含んだ領域に固定され、前記第２耳当て部は前記第２反曲部を含んだ領域に固定されていることが好ましい。
【０００９】
このような構成によれば、金属線材の一端部に形成された第１反曲部を含んで第１耳当て部が固定され、金属線材の他端部に形成された第２反曲部を含んで第２耳当て部が固定されているので、第１耳当て部および第２耳当て部が金属線材から脱落しにくくできる。さらに、第１耳当て部および第２耳当て部が金属線材の長手方向に沿ってある程度の長さを有して設けられるので、耳たぶに当たる面積を確保して圧力を低減させつつ、保持力をより向上させることができる。これにより、耳たぶにかかる力を軽減することができ、耳たぶの痛みを緩和することができる。
【００１０】
本考案では、前記金属線材の途中位置には、耳たぶの左右方向を軸方向とする弦巻ばね状に形成されて前記第１耳当て部と前記第２耳当て部とを近接させる方向に付勢する付勢部が設けられていることが好ましい。
【００１１】
このような構成によれば、弦巻ばね状の付勢部を設けることで、耳たぶを挟み込む力をより大きくすることができ、イヤリングを耳たぶからさらに脱落しにくくすることができる。また、金属線材を弦巻ばね状に加工することによって付勢部を形成することで、留め具の構成を簡素にすることができる。また、付勢部は、耳たぶの左右方向を軸方向とする弦巻ばね状に形成されるので、第１耳当て部と第２耳当て部とを離間させる方向に働く外力に対して留め具を変形しにくくすることができる。
【００１２】
本考案では、前記第１耳当て部には、前記装飾具を装着するための装着部が設けられていることが好ましい。
【００１３】
このような構成によれば、第１耳当て部に装着部が設けられ、この装着部に装飾具を装着することができるので、別部材から成る装着部を金属線材に固定する必要がないため、留め具の構成を簡素にすることができる。
【００１４】
本考案のイヤリングの留め具は、耳たぶを前後から挟み込むことによって耳たぶに固定されるイヤリングの留め具であって、耳たぶの正面側から下側を経由して背面側に至る全体弧状に形成された金属線材と、前記金属線材の一端部に設けられて耳たぶの正面に当接する第１耳当て部と、前記金属線材の他端部に設けられて耳たぶの背面に当接する第２耳当て部と、を備え、前記第１耳当て部および前記第２耳当て部は、樹脂から形成されて前記金属線材に一体に固定されていることを特徴とする。
【００１５】
このような構成によれば、イヤリングの留め具は、全体弧状に形成された金属線材によって第１耳当て部と第２耳当て部とを近接させる方向に付勢することで、耳たぶを挟み込む力を大きくすることができる。したがって、本考案によれば、イヤリングの留め具を耳たぶから脱落しにくくすることができるとともに、イヤリングの留め具を紛失しにくくすることができる。さらに、耳たぶに触れる第１耳当て部および第２耳当て部が樹脂から形成されていることで、金属アレルギーを引き起こしにくくできる。また、樹脂によって摩擦力が高まることで、耳たぶに対する保持力を向上させることができる。
【図面の簡単な説明】
【００１６】
【図１】本考案の一実施形態に係るイヤリングの正面図
【図２】イヤリングの側面図
【図３】イヤリングの斜視図
【図４】イヤリングを耳たぶに装着した状態を側面側から見た図
【図５】イヤリングの製造方法を示す図
【図６】図５に続くイヤリングの製造方法を示す図
【図７】本発明の変形例に係るイヤリングの側面図
【考案を実施するための形態】
【００１７】
以下、本考案の一実施形態を図面に基づいて説明する。
図１〜図３は、本考案の一実施形態に係るイヤリングを示す図であり、図１は、イヤリングの正面図であり、図２は、イヤリングの側面図であり、図３は、イヤリングの斜視図である。
【００１８】
イヤリング１は、図１〜図３に示すように、金属線材２、第１耳当て部３および第２耳当て部４を有した留め具と、この留め具における正面側の先端（第１耳当て部３の先端）に取り付けられた球状の装飾具５と、を備えている。
本実施形態では、装飾具５は、球状に形成された装飾体５１と、装飾体５１から突出した固定ピン５２と、を有し、留め具における正面側の先端に取り付けられている。なお、装飾具５は、固定ピン５２を有さずに、接着により留め具に固定されていてもよいし、装飾体５１が球状以外の形状であってもよく、留め具の正面側以外の位置に取り付けられていてもよい。例えば、チェーンを介して宝石を留め具に取り付けることによって装飾具としてもよい。
【００１９】
金属線材２は、一端部２Ａから他端部２Ｂに向かって全体弧状に形成されるとともに、第１耳当て部３と第２耳当て部４とを互いに近接する方向に付勢する弾性力を有したものであって、この弾性力により耳たぶを前後から挟み込むことで、イヤリング１が耳たぶに固定される。この金属線材２は、図４にも示すように、耳たぶＭの正面側から下側に沿った第１湾曲部２１と、耳たぶＭの背面側に沿った第２湾曲部２２と、を有し、耳たぶＭの正面側（図４の右側）から耳たぶＭの下側を経由して背面側（図４の左側）に至る全体Ｕ字状またはＣ字状に湾曲した形状に形成されている。このような金属線材２としては、鋼やステンレス、真鍮等の素線に金や銀、白金等のメッキを施した材料が利用できる。
【００２０】
金属線材２は、その途中位置である第１湾曲部２１と第２湾曲部２２との間に形成された付勢部２３と、一端部２Ａ側において耳たぶＭの正面から離れる方向に反曲した第１反曲部２４と、他端部２Ｂ側において耳たぶＭの背面から離れる方向に反曲した第２反曲部２５と、を備えている。
【００２１】
付勢部２３は、耳たぶの左右方向を軸方向とする弦巻ばね状に金属線材２を曲げ加工して形成されている。この付勢部２３は、第１湾曲部２１と第２湾曲部２２とが互いに離間する方向に開かれると、径が小さくなるように変形し、この変形に伴う復元力によって第１耳当て部３と第２耳当て部４とを互いに近接させる方向の付勢力を発揮する。また、付勢部２３は、耳たぶＭの背面側の位置に形成されている。すなわち、付勢部２３と他端部２Ｂとの間の距離は、付勢部２３と一端部２Ａとの間の距離よりも短くなり、第２耳当て部４から耳たぶＭに加わる力は、第１耳当て部３から耳たぶに加わる力よりも大きくなる。
【００２２】
第１反曲部２４は、第１湾曲部２１と逆向きの曲率を有して一端部２Ａまで延びて形成されている。第２反曲部２５は、第２湾曲部２２と逆向きの曲率を有して他端部２Ｂまで延びて形成されている。第１反曲部２４および第２反曲部２５は、互いに耳たぶの前後方向に対向して設けられ、その対向位置で最接近してから一端部２Ａおよび他端部２Ｂに向かって互いに離間するように形成されている。
【００２３】
第１耳当て部３は、金属線材２の一端部２Ａ側に設けられて耳たぶＭの正面に当接するものであって、樹脂から形成されて金属線材２に一体に固定されている。この第１耳当て部３は、金属線材２の第１反曲部２４を含んだ領域に固定され、第１反曲部２４に沿った長さを有して形成されている。第１耳当て部３は、第１反曲部２４を覆って固定される固定部３１と、金属線材２の一端部２Ａよりも外側まで延びて装飾具５を装着する装着部３２と、を備える。固定部３１は、第１反曲部２４に沿うとともに耳たぶＭの正面に向かって凸状かつ滑らかな曲面を有した凸状部３３を有し、この凸状部３３が耳たぶＭの正面に当接するようになっている。装着部３２には、装飾具５の固定ピン５２を圧入または螺合して固定する装着穴３４が形成されている。
【００２４】
第２耳当て部４は、金属線材２の他端部２Ｂ側に設けられて耳たぶＭの背面に当接するものであって、樹脂から形成されて金属線材２に一体に固定されている。この第２耳当て部４は、金属線材２の第２反曲部２５を含んだ領域に固定され、第２反曲部２５に沿った長さを有して形成されている。第２耳当て部４は、第２反曲部２５を覆って固定される固定部４１と、金属線材２の他端部２Ｂよりも外側まで延びた先端部４２と、を備える。固定部４１は、第２反曲部２５に沿うとともに耳たぶＭの背面に向かって凸状かつ滑らかな曲面を有した凸状部４３を有し、この凸状部４３が耳たぶＭの背面に当接するようになっている。また、固定部４１における凸状部４３の反対側には、凹状の背面部４４が形成されている。
【００２５】
第１耳当て部３および第２耳当て部４を構成する樹脂材料としては、熱可塑性樹脂やシリコンゴムなどが利用でき、特に熱可塑性エラストマー等の軟質樹脂が好適である。
【００２６】
本実施形態では、第２耳当て部４の凸状部４３の面積は、第１耳当て部３の凸状部３３の面積と比較して大きく形成されている。従って、付勢部２３によって第２耳当て部４から耳たぶＭに加わる力が第１耳当て部３から耳たぶに加わる力よりも大きくなっていても、第１耳当て部３および第２耳当て部４から耳たぶＭに加わる単位面積当たりの力を略一定にすることができる。したがって、本実施形態によれば、イヤリング１は、装着感を損なうことなく、耳たぶを挟み込む力を大きくすることができる。
【００２７】
図４は、イヤリング１を耳たぶＭに装着した状態を側面側から見た図である。
イヤリング１を耳たぶに装着するには、図４に示すように、第１耳当て部３および第２耳当て部４にて耳たぶＭを前後から挟み込むことによって耳たぶＭに留め具を固定する。ここで、付勢部２３は、第２耳当て部４側の位置に形成されているので、イヤリング１を正面から見たときには、耳たぶＭにて付勢部２３を隠すことができ、目立たないようにすることができる。
【００２８】
また、金属線材２の第１湾曲部２１と第２湾曲部２２とが互いに離間する方向に開かれ、その復元力によって耳たぶＭを挟み込む挟持力を得ることとなるが、それぞれ樹脂製の第１耳当て部３および第２耳当て部４が耳たぶＭに当接することで、耳たぶＭに加わる力を均等化して耳たぶＭへの負担を軽減させることができる。
【００２９】
図５は、イヤリング１の製造方法を示す図であり、図６は、図５に続くイヤリング１の製造方法を示す図である。
イヤリング１は、金属線材２に第１耳当て部３および第２耳当て部４を一体成形する成形装置１０によって製造される。成形装置１０は、下型１１および上型１２を有する金型と、この金型内に溶融樹脂を充填する図示しない充填手段と、を備えた射出成形装置である。
【００３０】
下型１１および上型１２には、それぞれ金属線材２を設置するための溝が形成されており、下型１１と上型１２とを型閉じすることで、第１反曲部２４が位置する第１キャビティ１３と、第２反曲部２５が位置する第２キャビティ１４と、が形成される。また、金型には、充填手段から溶融樹脂を第１キャビティ１３および第２キャビティ１４にそれぞれ供給するための供給路１５，１６が形成されている。
【００３１】
成形装置１０によるイヤリング１の製造手順としては、先ず、曲げ加工によって成形した金属線材２を下型１１と上型１２との間に設置し、図５に示すように、下型１１と上型１２とを型閉じしてから、図６に示すように、供給路１５，１６から溶融樹脂を第１キャビティ１３および第２キャビティ１４に溶融樹脂を充填する。これにより、第１キャビティ１３内の樹脂が第１反曲部２４を覆って成形され、第２キャビティ１４内の樹脂が第２反曲部２５を覆って成形され、金属線材２に第１耳当て部３および第２耳当て部４が一体成形される。
【００３２】
その後、型開きしてイヤリング１を取り出し、供給路１５，１６部分の樹脂を切り取るとともに、バリ等を削り落とす。さらに、第１耳当て部３の装着部３２に装着穴３４を形成し、この装着穴３４に固定ピン５２を挿入して装飾具５を固定することで、イヤリング１の製造が完了する。
【００３３】
このような本実施形態によれば、以下の作用・効果を奏することができる。
（１）イヤリング１は、耳たぶＭの正面に当接する第１耳当て部３と、耳たぶＭの背面に当接する第２耳当て部４と、が金属線材２の弾性力によって耳たぶＭを挟み込むことで、耳たぶＭを挟み込む力を大きくすることができる。したがって、本実施形態によれば、イヤリング１を耳たぶから脱落しにくくすることができるとともに、イヤリング１を紛失しにくくすることができる。
【００３４】
（２）耳たぶＭに当接する第１耳当て部３および第２耳当て部４が樹脂から形成されていることで、金属アレルギーを引き起こしにくくできる。また、第１耳当て部３および第２耳当て部４が軟質樹脂から形成されていることで、軟質樹脂によって摩擦力を高めて耳たぶＭに対する保持力を向上させることができるとともに、耳たぶＭにかかる圧力を軽減することができる。
【００３５】
（３）第１耳当て部３および第２耳当て部４は、耳たぶＭに面接触する当接面としての凸状部３３，４３を有するので、イヤリング１を耳たぶＭに固定したときに、耳たぶＭにかかる力を分散することができる。したがって、金属線材２の弾性力によって耳たぶＭを挟み込む力が大きくなっても耳たぶＭにかかる力を軽減することができ、耳たぶＭの痛みを緩和することができる。
【００３６】
（４）金属線材２の第１反曲部２４を含んで第１耳当て部３が固定され、第２反曲部２５を含んで第２耳当て部４が固定されているので、第１耳当て部３および第２耳当て部４が金属線材２から脱落しにくくできる。さらに、第１耳当て部３および第２耳当て部４が第１反曲部２４および第２反曲部２５に沿った長さを有しているので、耳たぶＭに当たる面積を確保して圧力を低減させつつ、保持力をより向上させることができる。これにより、耳たぶＭにかかる力を軽減することができ、耳たぶＭの痛みを緩和することができる。
【００３７】
（５）金属線材２に付勢部２３が設けられていることで、耳たぶＭを挟み込む力をより大きくすることができ、イヤリング１を耳たぶＭからさらに脱落しにくくすることができる。この付勢部２３は、金属線材２を弦巻ばね状に加工することによって形成されるので、留め具の構成を簡素にすることができる。また、付勢部２３は、耳たぶの左右方向を軸方向とする弦巻ばね状に形成されるので、第１耳当て部３と第２耳当て部４とを離間させる方向に働く外力に対して留め具を変形しにくくすることができる。
【００３８】
（６）イヤリング１を耳たぶＭに固定したときに、付勢部２３は、耳たぶＭの背後に位置することになるので、イヤリング１を正面から見たときに耳たぶＭにて付勢部２３を隠すことができ、目立たないようにすることができる。したがって、イヤリング１のデザイン性およびファッション性を向上させることができる。
【００３９】
（７）第１耳当て部３に装着部３２が設けられ、この装着部３２に装飾具５を装着することができるので、別部材から成る装着部を金属線材２に固定する必要がないため、留め具の構成をより一層簡素にすることができる。また、装飾具５を別のものに交換することで、共通の留め具を用いてイヤリング１のデザインを変更することも可能となる。
【００４０】
〔実施形態の変形〕
なお、本考案は前記実施形態に限定されるものではなく、本考案の目的を達成できる範囲での変形、改良等は本考案に含まれるものである。
例えば、前記実施形態では、留め具の金属線材２は、Ｕ字状に形成されていたが、その形状は特に限定されず、全体として耳たぶの正面側から下側を経由して背面側に至る全体弧状に形成されていればよい。
【００４１】
前記実施形態では、金属線材２に付勢部２３が成形されていたが、付勢部の形状は弦巻ばね状に限らず、任意の形状であればよい。また、金属線材２において、付勢部が複数の位置に形成されていてもよい。また、付勢部２３は、第２耳当て部４側の位置に形成されていたが、第１耳当て部３側の位置に形成されていてもよく、第１耳当て部３および第２耳当て部４の略中央位置に形成されていてもよい。要するに、付勢部は、第１耳当て部３および第２耳当て部４の間に形成されていればよい。さらに、図７に示す変形例のイヤリング１Ａのように、金属線材２に付勢部２３が形成されていなくてもよい。
【００４２】
前記実施形態では、第１耳当て部３および第２耳当て部４が樹脂から形成されて金属線材２の一端部２Ａ側および他端部２Ｂ側に固定されていたが、第１耳当て部３および第２耳当て部４以外の樹脂部材が設けられていてもよい。
【産業上の利用可能性】
【００４３】
以上のように、本考案は、イヤリングおよびイヤリングの留め具に広く適用できる。
【符号の説明】
【００４４】
１，１Ａ，１Ｂ  イヤリング
２      金属線材
２Ａ    一端部
２Ｂ    他端部
３      第１耳当て部
４      第２耳当て部
５      装飾部
２３      付勢部
２４      第１反曲部
２５      第２反曲部
３２      装着部
【図１】
0003202953.tif 000003
【図２】
0003202953.tif 000004
【図３】
0003202953.tif 000005
【図４】
0003202953.tif 000006
【図５】
0003202953.tif 000007
【図６】
0003202953.tif 000008
【図７】
0003202953.tif 000009